(57)【要約】【課題】梱包機能を損なうことなく、収容物品を人目に付きやすい状態にして簡易に展示することを可能にする包装箱を提供する。【解決手段】一枚の板紙１１を六面体形状となるように折り曲げてなる包装箱１０であって、六面体形状の側周面１７の背面側に位置する稜線１２と交差して、３対の押込み破断線１３か設けられており、一対の押込み破断線１３によって挟まれる山折り部分１４を谷折りとなるように内側に折込むことにより支持台１５を内部に形成し、この支持台１５に収容物品１６の下端部を支持させることにより、収容物品１６を包装箱１０の底面１８から一段高く保持した状態で展示する。また３対の押込み破断線１３によって挟まれる３箇所の山折り部分１６から内側に折り込むべきを山折り部分１６を選択して支持第１５を形成することにより、支持台１５によって収容物品１６が保持する高さを調整可能とする。【選択図】      図１
2004210336.tif 000002
【特許請求の範囲】
【請求項１】
一枚の板紙を六面体形状となるように折り曲げてなる包装箱であって、
前記六面体形状の底面又は側周面に形成される稜線と交差する押込み破断線又は押込み折癖線を備えており、該押込み破断線又は押込み折癖線によって挟まれる山折り部分を谷折りとなるように内側に折込むことにより支持台を内部に形成し、該支持台に収容容器の下端部を支持させることにより、収容物品を底面から高く保持した状態で展示することを可能にする包装箱。
【請求項２】
前記側周面に形成される稜線と交差する前記押込み破断線又は押込み折癖線を複数設け、内側に折込む前記押込み破断線又は押込み折癖線によって挟まれる山折り部分を選択することにより、前記支持台によって前記収容物品が保持される高さを調整可能とする請求項１記載の包装箱。
【請求項３】
前記底面に形成される稜線と交差する押込み破断線又は押込み折癖線によって挟まれる山折り部分には、前記稜線と平行な複数の折癖線が形成されており、折癖線を選択して前記山折り部分を折込むことにより、前記支持台によって前記収容物品が保持される高さを調整可能とする請求項１記載の包装箱。
【請求項４】
前記押込み破断線又は押込み折癖線は、包装箱の背面側に位置する稜線と交差して設けられる請求項１〜３のいずれかに記載の包装箱。
【請求項５】
板紙を六面体形状となるように折り曲げてなる包装箱の底面又は側周面に形成される稜線と交差して、押込み破断線又は押込み折癖線を設け、該押込み破断線又は押込み折癖線によって挟まれる山折り部分を谷折りとなるように内側に折込むことにより支持台を内部に形成し、該支持台に収容物品の下端部を支持させることにより、収容物品を底面から高く保持した状態で展示する包装箱による収容物品の展示方法。
【発明の詳細な説明】
【０００１】
【発明の属する技術分野】
本発明は、一枚の板紙を六面体形状となるように折り曲げてなる包装箱、及び六面体形状の包装箱による収容物品の展示方法に関する。
【０００２】
【従来の技術】
ダンボールや厚紙等からなる板紙を六面体形状となるように折り曲げて形成される包装箱は、例えば商品化された家庭用の物品やその他の各種の物品を、複数一まとめに覆って梱包するために用いられ、運搬や保管を効率良く行うことを可能にするものである。このような包装箱は、六面体形状を形成し得る所望の展開形状に裁断した板紙を、例えば予め設けられた折癖線を介して折り曲げつつ、係止片を係止用切込みに係止したり、接着剤や止め金具等を介して折り曲げた板紙の各片を接合しつつ、六面体形状に組み立てられる。
【０００３】
一方、このような六面体形状の包装箱に収容される複数の物品は、当該包装箱から取り出されるまで、これらの全体が包装箱によって覆われた状態となっており、開閉蓋を開放したとしても、包装箱の外側には、取出口を介して収容物品の僅かな部分しか現れないため、当該包装箱を用いて収容された物品を人目に付きやすい状態にして展示することは困難だった。このため、収容物品を展示する際には、当該収容物品を包装箱から取り出して別途に設けた展示台に載置する方法や、包装箱の側面の一部又は全部を切断除去して、当該切断除去した部分から収容物品を露出させる方法等が採用されているが、前者は包装箱とは別の専用の展示台を要することになるため効率的ではなく、また後者は包装箱として再び収容物品を梱包することができなくなるため包装箱の無駄が生じることになる。
【０００４】
これに対して、包装箱を展示台としても用いることを可能にした展示機能を有する箱が種々開発されている（例えば、特許文献１参照）。このような展示機能を有する箱は、箱本体、蓋体、中蓋等の複数の箱部材によって構成されており、運搬時や保管時において物品収容箱として用いられている六面体形状の状態から、これらの箱部材の被せ合わせる方向を替えること等によって、展示台として機能させるようにしたものである。
【０００５】
【特許文献１】
特開２００１−５５２２４号公報
【０００６】
【発明が解決しようとする課題】
しかしながら、上記従来の展示機能を有する箱は、各箱に収容された収容物品を各々展示することを前提として用いる展示兼用の包装箱であって、複数の箱部材からなる複雑且つ高価なものである。したがって、このような従来の展示機能を有する箱によれば、例えば贈答用の物品を収容する箱として販売場に積み重ねて多数置かれた包装箱から、１個又は数個の包装箱を選択して展示用に用い、必要に応じてこれらの展示用に用いた包装箱を再び梱包用に用いる場合等、収容物品を簡易に展示するために用いる場合には、不経済になると共に、材料の無駄を生じることになる。
【０００７】
本発明は、梱包機能を損なうことなく、収容物品を人目に付きやすい状態にして簡易に展示することを可能にする包装箱及び収容物品の展示方法を提供することを目的とする。
【０００８】
【課題を解決するための手段】
本発明は、一枚の板紙を六面体形状となるように折り曲げてなる包装箱であって、前記六面体形状の底面又は側周面に形成される稜線と交差する押込み破断線又は押込み折癖線を備えており、該押込み破断線又は押込み折癖線によって挟まれる山折り部分を谷折りとなるように内側に折込むことにより支持台を内部に形成し、該支持台に収容容器の下端部を支持させることにより、収容物品を底面から高く保持した状態で展示することを可能にする包装箱を提供することにより、上記目的を達成したものである。
【０００９】
ここで、前記内側に折込まれる山折り部分を挟む少なくとも一対の押込み破断線又は押込み折癖線は、包装箱を構成する板紙の展開面において前記稜線と交差して直線状に設けられている必要は必ずしもなく、例えば前記稜線の部分で折れ曲がって設けられていたり、曲線状に設けられていても良い。また前記山折り部分を挟む一対の押込み破断線又は押込み折癖線は、これらの双方が押込み破断線である場合の他、一方が押込み破断線で他方が押込み折癖線である場合も含まれる。破断線は、例えば切込線、半切れ線、ミシン目等を施しておくことにより、当該破断線に沿って板紙を分離可能とする線状部分であり、折癖線は、例えば罫線、半切れ線、ミシン目、押潰し線等を施しておくことにより、当該折癖線に沿って容易に折れ曲り可能とする線状部分である。
【００１０】
また、本発明は、板紙を六面体形状となるように折り曲げてなる包装箱の底面又は側周面に形成される稜線と交差して、押込み破断線又は押込み折癖線を設け、該押込み破断線又は押込み折癖線によって挟まれる山折り部分を谷折りとなるように内側に折込むことにより支持台を内部に形成し、該支持台に収容物品の下端部を支持させることにより、収容物品を底面から高く保持した状態で展示する包装箱による収容物品の展示方法を提供することにより、上記目的を達成したものである。
【００１１】
【発明の実施の形態】
図１〜図３に示す本発明の好ましい第１実施形態に係る包装箱１０は、例えば贈答用の物品として洗剤や食品等を封入したボトル容器１６を複数収容する六面体形状の箱であって、販売場に積み重ねた状態で多数設置されると共に、これらの多数の包装箱１０から任意の１個又は数個の包装箱１０を選択し、収容物品であるボトル容器１６を人目に付きやすい状態にして簡易に展示できるようにするものである。すなわち、本第１実施形態の包装箱１０は、ボトル容器１６を複数（本第１実施形態では４本）一まとめに覆って梱包収容すると共に、運搬や保管を効率良く行うことができるように六面体形状を有しており、この六面体形状の所定の位置に単に破断線や折癖線を設けておくだけの簡単な構成によって、梱包機能を損なうことなく、必要に応じて収容物品を展示できる簡易な展示箱としても用いることができるようにするものである。
【００１２】
そして、本第１実施形態の包装箱１０は、一枚の板紙１１（図３参照）を六面体形状となるように折り曲げてなる包装箱であって、六面体形状の側周面１７に形成される稜線１２と交差して、少なくとも一対の押込み破断線１３が設けられており（図１（ａ），（ｂ）参照）、一対の押込み破断線１３によって挟まれる山折り部分１４を谷折りとなるように内側に折込むことにより支持台１５を内部に形成し（図２参照）、この支持台１５に下端部を支持させることにより、収容物品であるボトル容器１６を包装箱１０の底面１８から一段高く保持した状態で展示することを可能にするものである。
【００１３】
また、本第１実施形態の包装箱１０によれば、当該包装箱１０の背面側に配置される２本の稜線１２には、各三対、合計６本の複数の押込み破断線１３が、各々の稜線１２と交差して設けられている。
【００１４】
包装箱１０を構成する一枚の板紙１１は、例えばダンボールや厚紙等の相当の厚さ及び曲げ強度を有する紙部材からなり、例えば図３に示すような、六面体形状を形成し得る展開形状に裁断される。また裁断された板紙１１は、主として、４方の側周面１７を形成する４枚の矩形形状の面板１１ａを、第１折癖線１１ｂで区画しつつ連接配置すると共に、各面板１１ａの上辺及び下辺に第２折癖線１１ｄを介して折曲げフラップ１１ｃを連接配置し、且つ隣接する折曲げフラップ１１ｃを切込線１１ｅを介して互いに分離させた形状を有している。そして、折癖線１１ｂ，１１ｄを介して板紙１１を折り曲げつつ、接着剤や止め金具等を介して折り曲げた各片を接合して、六面体形状の包装箱１０が組み立てられることになる。
【００１５】
なお、ボトル容器１６の展示状態を示す図１（ａ），（ｂ）では、包装箱１０は、その天面が開放された状態となっているが、このような展示状態においては、例えば各面板１１ａの上辺に連接配置された折曲げフラップ１１ｃを第２折癖線１１ｄを介して包装箱１０の内側に折り畳んでおくことにより、天面を容易に開放させた状態としておくことが可能になる。また、内側に折り畳んだ折曲げフラップ１１ｃは、包装箱１０の外側に折り拡げることにより、当該包装箱１０を、４体のボトル容器１６の全体を覆う梱包用の箱として再度使用することが可能になる。
【００１６】
そして、本第１実施形態によれば、六面体形状の包装箱１０の側周面１７に形成されて背面側に位置する一対の稜線１２には、これらの稜線１２と各々交差して、各三対、合計６本の押込み破断線１３が設けられている。各押込み破断線１３は、例えば板紙１１の全厚に亘って単に切り込まれた切込線や、或いは板紙１１の厚さの一部を残して切り込んだ半切れ線、ミシン目等からなり、山折り部分１４を内側に折込む際の押圧力によって、当該各押込み破断線１３に沿って板紙１１を容易に破断できるようになっている。
【００１７】
また、各押込み破断線１３は、図３に示す展開面において、稜線１２と垂直に交差して直線状に設けられており、これによって山折り部分１４を、包装箱１０の内側に略水平に折込むことを可能にして、安定した支持台１５を形成することができるようになている（図１（ａ），（ｂ）参照）。なお、本第１実施形態によれば、各押込み破断線１３の稜線１２から延設される長さを調整することにより、包装箱１０の内側への支持台１５の突出量を容易に調整することが可能になる。また、各一対の押込み破断線１３の稜線１２と離れた端部には、これらの端部に跨がって端部折癖線１９が縦方向に延設して設けられており、これによって各山折り部分１４を包装箱１０の内側に折込む作業をスムーズに行うことが可能になる。
【００１８】
そして、本第１実施形態によれば、ボトル容器１６を複数収容して販売場に積み重ねた状態で設置された多数の包装箱１０から、任意の１個又は数個の包装箱１０を展示用のものとして選択し、包装箱１０の天面を開放して収容されたボトル容器１６を取り出した後、天面の折曲げフラップ１１ｃを包装箱１０の内側に折り畳むと共に、予め包装箱１０に設けられた一対の押込み破断線１３によって挟まれる山折り部分１４を、谷折りとなように内側に折込むことにより支持台１５を内部に形成する（図２参照）。しかる後に、包装箱１０から取り出したボトル容器１６を再び収容する際に、形成された支持台１５に下端部を支持させて後列のボトル容器１６を包装箱１０の背面側に挿入配置することにより、当該後列のボトル容器１６を包装箱１０の底面１８から一段高く保持し、その上部を人目に付きやすい状態として、収容物品であるボトル容器１６を簡易に展示することが可能になる（図１（ａ），（ｂ）参照）。
【００１９】
また、本第１実施形態によれば、包装箱１０の背面側に配置される２本の稜線１２には、各三対、合計６本の押込み破断線１３が、それぞれの稜線１２と交差して設けられているので、一対の押込み破断線１３によって挟まれる各３箇所の山折り部分１４から、内側に折込むべき各１箇所の山折り部分１４を選択することにより、支持台１５によってボトル容器１６が保持される高さを段階的に調整することが可能になる。
【００２０】
さらに、本第１実施形態によれば、展示を止めて包装箱１０の内部にボトル容器１６を再び収容して梱包する場合には、包装箱１０からボトル容器１６を取り出し、谷折りとなように内側に折込まれた支持台１５を、山折り部分１４として側周面１７と面一に復帰するように外側に押し出すと共に、内側に折り畳んだ折曲げフラップ１１ｃを包装箱１０の外側に折り拡げる。しかる後に、取り出したボトル容器１６を内部に収容すると共に、折曲げフラップ１１ｃを折り重ねて天面を閉塞することにより、４本のボトル容器１６を一体として覆って再度梱包することが可能になる。
【００２１】
すなわち、本第１実施形態の包装箱１０によれば、梱包機能を損なうことなく、収容物品であるボトル容器１６を人目に付きやすい状態にして簡易且つ容易に展示することができる。
【００２２】
図４〜図６は、本発明の好ましい第２実施形態に係る包装箱２０を示すものである。本第２実施形態によれば、六面体形状の底面２８に形成されて背面側に位置する稜線２２と交差して、一対の押込み破断線２３が設けられている。そして、この一対の押込み破断線２３によって挟まれる山折り部分２４を谷折りとなるように内側に折込むことにより支持台２５を内部に形成し、この支持台２５に下端部を支持させることにより、収容物品であるボトル容器１６を包装箱２０の底面２８から一段高く保持した状態で展示することを可能にするものである。
【００２３】
すなわち、本第２実施形態の包装箱２０は、上記第１実施形態と同様の一枚の板紙２１（図６参照）を六面体形状となるように折り曲げて形成される包装箱であって、上記第１実施形態と同様の切込み線、半切れ線、ミシン目等からなる一対の押込み破断線２３が、背面側に形成される稜線２２の中央部分に位置して設けられている。また一対の押込み破断線２３は、図６に示す展開面において、背面側に形成される稜線２２と垂直に交差して直線状に設けられている。
【００２４】
さらに、本第２実施形態によれば、稜線２２と垂直に交差して設けられる一対の押込み破断線２３によって挟まれる山折り部分２４には、罫線、半切れ線、ミシン目、押潰し線等からなる、稜線２２と平行な二対以上の複数の折癖線２７が形成されており、この折癖線２７を選択して山折り部分２４を内側に折込むことにより、支持台２５によってボトル容器１６が保持される高さを調整することができるようになっている。また、各押込み破断線２３の稜線２２から延設される長さを調整することによっても、包装箱２０の内側に折込まれて形成される支持台２５の高さを調整することができるようになっている。
【００２５】
そして、本第２実施形態の包装箱２０によっても、稜線２２と交差する一対の押込み破断線２３によって挟まれる山折り部分２４を備えていることにより、上記第１実施形態の包装箱１０と略同様の作用効果を奏することになる。
【００２６】
図７〜図９は、本発明の好ましい第３実施形態に係る包装箱３０を示すものである。本第３実施形態によれば、六面体形状の側周面３７に形成されて背面側に位置する一対の稜線３２と各々交差して設けられた、各上側押込み破断線３３と各下側押込み折癖線３６とによって囲まれるように挟まれて、２段に配置された山折り部分３４が、一対の稜線３２に各々２箇所に形成されている。そして、一対の稜線３２の各２箇所の山折り部分３４から一方を選択して、当該選択された山折り部分３４を倒立四角錘形状の谷折りとなるように内側に折込むことにより、ボトル容器１６を一段高く保持する支持台３５を包装箱３０の内部に形成することができるようになっている。
【００２７】
すなわち、本第３実施形態の包装箱３０は、上記第１実施形態と同様の一枚の板紙３１（図９参照）を六面体形状となるように折り曲げて形成される包装箱であって、上記第１実施形態と同様の切込み線、半切れ線、ミシン目等からなる上側押込み破断線３３が、稜線３２の部分でくの字状に折れ曲がって４箇所に設けられており、また罫線、半切れ線、ミシン目、押潰し線等からなる下側押込み折癖線３６が、各上側押込み破断線３３と対向するくの字状に折れ曲がって４箇所に設けられていることにより、各稜線３２に２箇所、合計４箇所の、上側押込み破断線３３と下側押込み折癖線３６とによって囲まれるように挟まれた山折り部分３４が形成されることになる。
【００２８】
このように、山折り部分３４は、押込み破断線３３と押込み折癖線３６とによって挟まれて設けられることもでき、また押込み破断線３３や押込み折癖線３６は、折れ曲がって設けられていても良い。そして、本第３実施形態の包装箱３０は、稜線３２と交差する上側押込み破断線３３と下側押込み折癖線３６とによって挟まれた山折り部分３４を備えることにより、上記第１実施形態の包装箱１０と略同様の作用効果を奏することになる。
【００２９】
図１０〜図１２は、本発明の好ましい第４実施形態に係る包装箱４０を示すものである。本第４実施形態によれば、六面体形状の側周面４７に形成されて背面側に位置する一対の稜線４２と各々交差して設けられた、上側押込み破断線４３と下側押込み折癖線４６とによって挟まれて、上記第３実施形態の山折り部分３４と同様の形状の上段山折り部分４４が形成されていると共に、一対の稜線４２と各々交差して設けられた一対の押込み破断線５０によって挟まれて、下段山折り部分４８が形成されている。
【００３０】
すなわち、本第４実施形態の包装箱４０は、上記第１実施形態と同様の一枚の板紙４１（図１２参照）を六面体形状となるように折り曲げて形成される、前後方向に３列、合計６本のボトル容器１６を収容する包装箱であって（図１０参照）、上記第１実施形態と同様の切込み線、半切れ線、ミシン目等からなる上側押込み破断線４３或いは押込み破断線５０、又は罫線、半切れ線、ミシン目、押潰し線等からなる下側押込み折癖線４６に挟まれて、各稜線４２には、各々一箇所の上段山折り部分４４と各々一箇所の下段山折り部分４８が形成されることになる。
【００３１】
また、下段山折り部分４８を形成する各一対の押込み破断線５０は、各稜線４２から相当の長さで延設されている。したがって、上段山折り部分４４を谷折りとなるように内側に折込んで上段支持台４５を形成すると共に、下段山折り部分４８を谷折りとなるように内側に折込んで下段支持台４９を形成する際に、下段山折り部分４８による下段支持台４９は、包装箱４０の略中央部分まで大きく突出して内側に設けられることになる（図１１参照）。これによって、本第４実施形態の包装箱４０によれば、図１０に示すように、後列の２本のボトル容器１６を上段支持台４５に支持させて配置すると共に、中央列の２本のボトル容器１６を下段支持台４９に支持させて配置することができ、背面側の２列のボトル容器１６を底面から階段状に高く保持して展示することにより、展示効果を一層向上させることが可能になる。
【００３２】
なお、本発明は上記各実施形態に限定されることなく種々の変更が可能である。例えば、包装箱に収容される収容物品は、洗剤や食品等を封入したボトル容器である必要は必ずしもなく、その他の形状の容器や、容器以外の物品であっても良い。また包装箱に収容される収容物品は、４体又は６体である必要は必ずしもなく、収容される個数は任意である。さらに、押込み破断線や押込み折癖線によって挟まれる山折り部分は、背面側に位置する稜線に設けられる必要は必ずしもない。
【００３３】
また、本発明の包装箱は、上記各実施形態のような展開形状に裁断された一枚の板紙を用いて形成されるものである必要は必ずしもなく、例えば図１３（ａ）〜（ｄ）に示される、六面体形状を形成し得る公知の各種の展開形状に裁断された板紙を用い、これの稜線が形成される所定の位置に、押込み破断線や押込み折癖線によって挟まれる山折り部分６０を設けることにより、本発明の包装箱を形成することもできる。
【００３４】
さらに、本発明の包装箱による収容物品の展示方法によれば、包装箱に押込み破断線や押込み折癖線によって挟まれる山折り部分を予め設けておく必要は必ずしもなく、例えば販売場において、カッター等を用いて包装箱の稜線と交差して押込み破断線を切込み形成することにより一対の押込み破断線によって挟まれる山折り部分を形成し、当該山折り部分を押し込んで包装箱の内部に支持台を設けるようにすることもできる。
【００３５】
【発明の効果】
本発明の包装箱及び収容物品の展示方法によれば、包装箱による梱包機能を損なうことなく、収容物品を人目に付きやすい状態にして簡易に展示することができる。
【図面の簡単な説明】
【図１】本発明の第１実施形態に係る包装箱を説明する、（ａ）は正面側から視た斜視図、（ｂ）は背面側から視た斜視図である。
【図２】本発明の第１実施形態に係る包装箱を説明する、図１（ａ）を上方から視た平面図である。
【図３】本発明の第１実施形態に係る包装箱を構成する板紙の展開平面図である。
【図４】本発明の第２実施形態に係る包装箱を説明する背面側から視た斜視図である。
【図５】本発明の第２実施形態に係る包装箱を説明する、図４を前後逆にして上方から視た平面図である。
【図６】本発明の第２実施形態に係る包装箱を構成する板紙の展開平面図である。
【図７】本発明の第３実施形態に係る包装箱を説明する背面側から視た斜視図である。
【図８】本発明の第３実施形態に係る包装箱を説明する、図７を前後逆にして上方から視た平面図である。
【図９】本発明の第３実施形態に係る包装箱を構成する板紙の展開平面図である。
【図１０】本発明の第４実施形態に係る包装箱を説明する正面側から視た斜視図である。
【図１１】本発明の第４実施形態に係る包装箱を説明する、図１０を上方から視た平面図である。
【図１２】本発明の第４実施形態に係る包装箱を構成する板紙の展開平面図である。
【図１３】（ａ）〜（ｄ）は、包装箱を構成する板紙の展開形状を例示する平面図である。
【符号の説明】
１０，２０，３０，４０  包装箱
１１，２１，３１，４１  板紙
１２，２２，３２，４２  稜線
１３，２３、５０  押込み破断線
１４，２４，３４  山折り部分
１５，２５，３５  支持台
１６  ボトル容器
１７，３７，４７  側周面
１８，２８  底面
１９  折癖線
２７  折癖線
３３，４３  上側押込み破断線
３６，４６  下側押込み折癖線
４４  上段山折り部分
４５  上段支持台
４８  下段山折り部分
４９  下段支持台
【図１】
2004210336.tif 000003
【図２】
2004210336.tif 000004
【図３】
2004210336.tif 000005
【図４】
2004210336.tif 000006
【図５】
2004210336.tif 000007
【図６】
2004210336.tif 000008
【図７】
2004210336.tif 000009
【図８】
2004210336.tif 000010
【図９】
2004210336.tif 000011
【図１０】
2004210336.tif 000012
【図１１】
2004210336.tif 000013
【図１２】
2004210336.tif 000014
【図１３】
2004210336.tif 000015